(57)【要約】【課題】床部材の幅方向側に壁や柱などの干渉物が設置されている場合であっても、外構部が免震構造物に対して横方向に移動するときに、その干渉物に影響されることなく床部材を幅方向に円滑に移動させて地震の動きに適正に対応することができるエキスパンションジョイントカバーを提供する。【解決手段】免震構造物１とその周囲の外構部２との間の隙間溝３を塞ぐためにその免震構造物１と外構部２との間に架設される床部材４を備えている。床部材４は、長さ方向の一端側部分が免震構造物１に受枠８を介して支持され、長さ方向の他端側部分がその長さ方向と直角の幅方向に対する動きが規制された状態で前記外構部２に支持されている。受枠８は両端側に延長部８ａを有し、外構部２が免震構造物１に対して相対的に床部材４の幅方向に移動したときに、その床部材４が受枠８の延長部８ａにスライド移動することで、その外構部２の動きに対応する。【選択図】    図１
2009275399.tif 000002
【特許請求の範囲】
【請求項１】
免震構造物とその周囲の外構部との間の隙間溝を塞ぐためにその免震構造物と外構部との間に架設される床部材を備え、
前記床部材は、長さ方向の一端側部分が前記免震構造物に受枠を介して支持され、長さ方向の他端側部分がその長さ方向と直角の幅方向に対する動きが規制された状態で前記外構部に支持され、
前記受枠は、前記外構部が前記免震構造物に対して相対的に前記床部材の幅方向に移動するときに、その床部材をその移動方向にスライドさせる延長部を有することを特徴とする免震構造物用エキスパンションジョイントカバー。
【請求項２】
免震構造物とその周囲の外構部との間の隙間溝を塞ぐためにその免震構造物と外構部との間に架設される床部材を備え、
前記床部材は、長さ方向の一端側部分が、その長さ方向と直角の幅方向に対する動きが規制された状態で前記免震構造物に支持され、長さ方向の他端側部分が前記外構部に受枠を介して支持され、
前記受枠は、前記外構部が前記免震構造物に対して相対的に前記床部材の幅方向に移動するときに、その床部材をその移動方向に相対的にスライドさせる延長部を有することを特徴とする免震構造物用エキスパンションジョイントカバー。
【発明の詳細な説明】
【技術分野】
【０００１】
この発明は、免震構造物とその周囲の外構部との間に生じる隙間溝を塞ぐために設置される免震構造物用エキスパンションジョイントカバーに関する。
【背景技術】
【０００２】
免震建物などの免震構造物においては、免震構造物の周囲とその外構部（地盤）との間に隙間溝が設けられ、この隙間溝により外構部と免震構造物とが地震時の動きに対して縁切りされている。そして免震構造物と外構部との間にエキスパンションジョイントカバーが設けられている。
【０００３】
エキスパンションジョイントカバーは、免震構造物と外構部との間を繋ぐ歩道用の通路として機能する床部材を備え、この床部材が免震構造物と外構部との間に隙間溝を塞ぐように架設されている。すなわち、この床部材は長さ方向の一端側部分が免震構造物の縁部に支持され、他端側部分が外構部の縁部に支持されている。そして、地震の発生で外構部が免震構造物に接近する縦方向、つまり床部材の長さ方向に移動したときには、床部材の端部が外構部あるいは免震構造物の床面上にせり上がることでその動きに対応するようになっている。
【０００４】
このようなエキスパンションジョイントカバーについては、特開２００８−５７２３９公報（特許文献１）に開示されている。
【特許文献１】特開２００８−５７２３９公報
【発明の開示】
【発明が解決しようとする課題】
【０００５】
特開２００８−５７２３９公報においては、地震の発生で外構部が免震構造物に接近する縦方向に移動したときには、床部材の一端側を外構部の床面上にせり上がらせることでその動きに対応するとともに、さらに外構部が横方向つまり床部材の幅方向に移動したときにおいても、床部材の一側縁側を外構部の床面上にせり上がらせることでその動きに対応するようにしている。
【０００６】
床部材の長さ方向は通路の長さ方向であるから、その方向側に床部材のせり上がりの障害となるような干渉物は通常存在しないが、床部材の幅方向側には壁や柱などの干渉物が設置されることがある。このような場合、特開２００８−５７２３９公報の構成では、外構部が横方向に移動し、床部材が外構部に対して相対的にその幅方向に移動して外構部の床面上にせり上がろうとするときに、床部材が前記干渉物に衝突し、そのせり上がりができなくなるばかりでなく、床部材の支持部が破損してしまう恐れがある。
【０００７】
この発明はこのような点に着目してなされたもので、その目的とするところは、床部材の幅方向側に壁や柱などの干渉物が設置されている場合であっても、外構部が免震構造物に対して横方向に移動するときに、その干渉物に影響されることなく床部材を幅方向に円滑に移動させて地震の動きに適正に対応することができるエキスパンションジョイントカバーを提供することにある。
【課題を解決するための手段】
【０００８】
このような目的を達成するために、請求項１の発明は、免震構造物とその周囲の外構部との間の隙間溝を塞ぐためにその免震構造物と外構部との間に架設される床部材を備え、前記床部材は、長さ方向の一端側部分が前記免震構造物に受枠を介して支持され、長さ方向の他端側部分がその長さ方向と直角の幅方向に対する動きが規制された状態で前記外構部に支持され、前記受枠は、前記外構部が前記免震構造物に対して相対的に前記床部材の幅方向に移動するときに、その床部材をその移動方向にスライドさせる延長部を有することを特徴としている。
【０００９】
また、請求項２の発明は、免震構造物とその周囲の外構部との間の隙間溝を塞ぐためにその免震構造物と外構部との間に架設される床部材を備え、前記床部材は、長さ方向の一端側部分が、その長さ方向と直角の幅方向に対する動きが規制された状態で前記免震構造物に支持され、長さ方向の他端側部分が前記外構部に受枠を介して支持され、前記受枠は、前記外構部が前記免震構造物に対して相対的に前記床部材の幅方向に移動するときに、その床部材をその移動方向に相対的にスライドさせる延長部を有することを特徴としている。
【発明の効果】
【００１０】
請求項１の発明によれば、地震の発生で外構部が免震構造物に対して相対的に床部材の幅方向に移動したときに、その床部材が免震構造物に設けられた受枠の延長部にスライド移動してその地震の動きに対応し、請求項２の発明によれば、外構部が免震構造物に対して相対的に床部材の幅方向に移動したときに、その外構部に設けられた受枠の延長部に相対的に床部材がスライド移動してその地震の動きに対応する。したがって、床部材の幅方向側に壁や柱などの干渉物が設置されている場合であっても、その干渉物に影響されることなく床部材を幅方向に円滑に移動させて地震の動きに適正に対応させることができる
【発明を実施するための最良の形態】
【００１１】
以下、この発明の実施の形態について図面を参照して説明する。
【００１２】
図１乃至図３には第１の実施形態を示してあり、１が免震構造物、２が外構部で、これら免震構造物１と外構部２との間が隙間溝３となっている。そして免震構造物１から外構部２に通じる歩道用の通路となる部分に、隙間溝３を覆う床部材４が設けられている。
【００１３】
床部材４は、長手方向の一端側部分が免震構造物１に支持され、他端側部分が外構部２に支持され、免震構造物１及び外構部２の各床面と面一となるように配置されている。
【００１４】
床部材４の一端側部分を支持した免震構造物１の支持部７には、床部材４の幅方向に沿って延びる断面がＬ形で一方向に長い金属製の受枠８が設けられ、この受枠８の上にその長手方向に沿って断面コ字形のスライドベース９が取り付けられている。受枠８は、図３に示すように、アンカーボルト１０を介して免震構造物１に固定されたブラケット１１の上に取り付けられている。
【００１５】
床部材４はステンレスなどの金属材で薄皿形状に形成され、この床部材４の内底部には補強梁１３が複数本取り付けられ、この床部材４の内部に床材１４が充填されている。
【００１６】
床部材４の一端側の縁部にはその外方に段差状に突出する受部１６が一体に形成され、この受部１６の外底部にスライドレール１７が設けられている。このスライドレール１７は断面ほぼコ字形をなし、ボルト１８及びナット１９を介して受部１６に締結固定されている。
【００１７】
床部材４の受部１６は、スライドレール１７を介して受枠８のスライドベース９の上にスライド可能に載置され、この載置で床部材４の一端側の端部が免震構造物１の縁部に支持されている。床部材４のスライドレール１７は、受枠８のスライドベース９と遊びをもって噛み合うように係合され、この係合でスライドベース９に対する受部１６の上下方向の動きが一定範囲に規制され、スライドベース９に対する受部１６の離脱が防止されている。
【００１８】
床部材４の他端側部分は、外構部２の縁部に形成された段差状の支持部２２の上に載置されている。支持部２２は、床部材４の例えばほぼ半分の長さに相当する長さ区間Ｌを有し、この支持部２２の上に金属製の受枠２３が取り付けられ、この受枠２３の上に床部材４の他端側のほぼ半部の区間がスライド可能に載置されている。受枠２３の上面にはクッション材２４が張られており、このクッション材２４の上に床部材４が載置されている。
【００１９】
受枠２３の内側端部には免震構造物１側から外構部２側に向って斜め上方に傾斜するガイド材２６が取り付けられ、また床部材４の他端側の縁部には鍔２７が水平に突出形成され、この鍔２７によりガイド材２６が覆われている。
【００２０】
外構部２の床面上には、床部材４の幅方向の両側に位置し、かつその床部材４と隣接して干渉物としての壁３０が構築されている。図１においては、床部材４の一方側の壁３０のみを図示してある。そして床部材４はその両側の壁３０により外構部２に対する幅方向の動きが規制されている。
【００２１】
一方、免震構造物１の支持部７に設けられた受枠８は、スライドベース９と共に床部材４の両側に延長部８ａとして所定の長さＳ（図２参照）だけ延出しており、これら延長部８ａにより床部材４がその幅方向にスライド移動することが可能となっている。受枠８の各延長部８ａの長さＳは例えば５００ｍｍとなっている。
【００２２】
このような構成において、地震の発生で外構部２が免震構造物１から離れる縦方向に移動したときには、図３（Ａ）の状態から床部材４が外構部２の受枠２３に対して相対的に長さ方向（右方向）に滑り動き、この滑り動きで地震の動きに対応する。また、外構部２が免震構造物１に接近する縦方向に移動したときには、図３（Ｂ）に示すように、外構部２に対して相対的に床部材４が長さ方向（左方向）に移動し、この移動の際に床部材４の移動先端側の下端縁部がガイド材２６に当り、このガイド材２６の斜面に沿って床部材４が外構部２の床面上にせり上がり、このせり上がりで地震の動きに対応する。
【００２３】
床部材４がガイド材２６の斜面に沿ってせり上がるときには、床部材４の一端側の端部を支点として床部材４が上方に傾斜するが、床部材４の一端側の端部はスライドレール１７がスライドベース９と遊びをもって係合する状態で支持されているから、その支持部が破損するようなことなく、円滑に傾斜する。
【００２４】
一方、地震の発生で外構部２が免震構造物１に対して相対的に横方向、つまり床部材４の幅方向に移動したときには、外構部２と一体的に床部材４が幅方向に移動する。床部材４の免震構造物１側の端部は、受枠８で支持され、この受枠８の両端側が延長部８ａとして床部材４の両側に延びており、したがって床部材４はその延長部８ａに沿って幅方向に円滑にスライド移動し、このため床部材４の免震構造物１側の支持部が破損するようなことがない。
【００２５】
このように、外構部２が横方向に移動したときには、床部材４がせり上げるのではなく、床部材４が受枠８の延長部８ａにスライドすることでその横方向の動きに対応するものであり、したがって床部材４の両側に干渉物としての壁３０が配置されていても、それに影響されることなく、円滑に動作する。
【００２６】
図４及び図５には第２の実施形態を示してあり、この実施形態では、床部材４の長さ方向の一端側部分が免震構造物１の支持部７で支持されている。そして、免震構造物１の床面上に床部材４の両側に位置して干渉物としての壁４０が設けられ、これら壁４０の配置で免震構造物１に対する床部材４の幅方向の移動が規制されている。図４においては、床部材４の一方側の壁４０のみを図示してある。
【００２７】
床部材４の長さ方向の他端側部分は、外構部２の支持部２２に設けられた受枠２３を介して支持されている。そして、外構部２の支持部２２に設けられた受枠２３の両端部が床部材４の両側に延長部２３ａとして所定の長さＳ（図５参照）だけ延出されている。受枠２３の各延長部２３ａの長さＳは例えば５００ｍｍとなっている。
【００２８】
この実施形態では、地震の発生で外構部２が免震構造物１に対して縦方向に移動したときには、前記第１の実施形態の場合と同様に動作する。
【００２９】
そして、外構部２が免震構造物１に対して相対的に横方向に移動したときには、相対的に床部材４が受枠２３の延長部２３ａの区間にスライド移動する。したがって免震構造物１の床面上に、床部材４の両側に位置して壁４０が配置されていても、それに影響されることなく、外構部２の横方向の動きに対応することができる。
【００３０】
なお、前記各実施形態では、免震構造物１と外構部２との間に１枚の床部材４を架設する状態としてあるが、複数枚の床部材４を横に並べて架設するような構成の場合であってもよい。
【図面の簡単な説明】
【００３１】
【図１】この発明の第１の実施形態を示す斜視図。
【図２】この発明の第１の実施形態を示す平面図。
【図３】図２中のＡ−Ａ線に沿う部分の断面図。
【図４】この発明の第２の実施形態を示す斜視図。
【図５】この発明の第２の実施形態を示す平面図。
【符号の説明】
【００３２】
１…免震構造物
２…外構部
３…隙間溝
４…床部材
７…支持部
８…受枠
８ａ…延長部
９…スライドベース
１４…床材
１６…受部
１７…スライドレール
２２…支持部
２３…受枠
２３ａ…延長部
２６…ガイド材
２７…鍔
３０…壁
４０…壁
【図１】
2009275399.tif 000003
【図２】
2009275399.tif 000004
【図３】
2009275399.tif 000005
【図４】
2009275399.tif 000006
【図５】
2009275399.tif 000007